【手続補正書】
【提出日】平成28年11月28日(2016.11.28)
【手続補正１】
【補正対象書類名】特許請求の範囲
【補正対象項目名】全文
【補正方法】変更
【補正の内容】
【特許請求の範囲】
【請求項１】
健康モニタリングおよび追跡システムであって、
複数の演算装置のうちの少なくとも1つにそれぞれ通信接続可能であり、独立して、または少なくとも１つの演算装置とそれぞれ接続して、温度情報を計算するように構成されている、複数の測温機器と;
複数の該各々の演算装置からの医療データを保存する少なくとも１つのデータ保存場所であって、該医療データは、少なくとも、複数の患者についての計算された温度情報および患者情報を含む、該データ保存場所と;
非一過性のプロセッサ可読メディアに保存された命令を実行するように構成されている少なくとも１つのプロセッサであって:
該少なくとも１つのデータ保存場所に保存された医療データのうちの少なくともいくつかを集約し;
該集約された医療データを処理して、集団における複数の人々に関連する医療情報を作成し;
該作成された医療情報を、通信ネットワークを介して少なくとも１つの演算装置に送信する；
ように構成された少なくとも１つのプロセッサと、
を含む、健康モニタリングおよび追跡システム。
【請求項２】
該患者情報が:
各ユーザーの位置を示す地理情報;
疾患または体調不良と関連する該ユーザーの症候を示す症候情報; 
疾患、体調不良または体温と関連する該ユーザーの少なくとも１つの特徴を示す臨床情報;
該計算された温度情報、該症候情報、および該臨床情報のうちの少なくとも１つと関連する日付および/または時間を示す日付情報;
ユーザーまたはユーザーと関連する個人を示す患者識別情報;
機器識別情報;
該医療情報;および、
該温度情報；
のうちの少なくとも１つを含む、請求項１に記載のシステム。
【請求項３】
該少なくとも１つのプロセッサが、非一過性のプロセッサ可読メディアに保存された命令を実行するようにさらに構成されており、該非一過性のプロセッサ可読メディアは:
該地理情報、該症候情報、該臨床情報、該日付情報、および該温度情報のうちの少なくとも１つに応じて、疾患の伝播を追跡するように、
該少なくとも１つのプロセッサを構成する、請求項１３に記載のシステム。
【請求項４】
該少なくとも１つのプロセッサが、さらに、非一過性のプロセッサ可読メディアに保存された命令を実行するように構成されており、該非一過性のプロセッサ可読メディアは:
温度情報および/または該追跡された疾患の伝播に関連する警報を作成し;そして、
該警報を、通信ネットワークを介して少なくとも１つの演算装置に送信するように、
該少なくとも１つのプロセッサを構成する、請求項３に記載のシステム。
【請求項５】
該地理情報、該症候情報、該臨床情報および/または該日付情報のうちの少なくともいくつかが、演算装置に提供された少なくとも１つのプロンプトに応答してユーザーによって提供される、請求項２に記載のシステム。
【請求項６】
該複数の演算装置のうちの少なくとも１つがモバイル演算装置である、請求項１に記載のシステム。
【請求項７】
該少なくとも１つのプロセッサが、さらに、非一過性のプロセッサ可読メディアに保存された命令を実行するように構成されており、該非一過性のプロセッサ可読メディアは:
該集約された医療データを処理して医療関連情報に基づく洞察を作成し;そして、
該医療関連情報に基づく洞察のうちの少なくとも１つを、通信ネットワークを介して少なくとも１つの演算装置に送信するように、
該少なくとも１つのプロセッサを構成している、請求項１に記載のシステム。
【請求項８】
該情報に基づく洞察が、患者を処置するため、疾患の伝播を阻止するため、および/または疾患に関連する罹患率または死亡率を低下させるために用いられ得る、請求項７に記載のシステム。
【請求項９】
該患者情報が、患者が伝染性であることを示す伝染性情報を含み、該伝染性情報は、該複数の演算装置のうちの少なくとも１つによって、i)該計算された温度情報、およびii)少なくとも１つのプロンプトに応答してユーザーによって提供される情報のうちの少なくとも１つを用いて計算される、請求項１に記載のシステム。
【請求項１０】
該作成された医療情報が、伝染性、広まっている疾患、および広まっている少なくとも１つの症候のうちの少なくとも１つを示すようにフォーマットされる、請求項１に記載のシステム。
【請求項１１】
該作成されてフォーマットされた医療情報が、過去の情報、現在の情報および未来の予測情報のうちの少なくとも１つとして提供される、請求項１０に記載のシステム。
【請求項１２】
該作成された医療情報が、人と人の関係および/または人と場所の関係を示す、請求項１に記載のシステム。
【請求項１３】
該少なくとも１つのプロセッサが、さらに、非一過性のプロセッサ可読メディアに保存された命令を実行するように構成されており、該非一過性のプロセッサ可読メディアが:
該集約された医療データを、集団に関連する動向または挙動のうちの少なくとも１つと関連付け;そして、
該集約されて関連付けられた医療データを処理して該医療情報を作成するように、
該少なくとも１つのプロセッサを構成する、請求項１に記載のシステム。
【請求項１４】
該各々の少なくとも１つの演算装置に接続された該測温機器が、該測温機器から受信した少なくとも１つの信号を用いて該温度情報を計算するように構成される、請求項１に記載のシステム。
【請求項１５】
該各々の少なくとも１つの演算装置に接続された該測温機器が、ユーザーに関連する患者情報および該計算された温度情報を得るように構成される、請求項１に記載のシステム。
【請求項１６】
健康モニタリングおよび追跡方法であって、
複数の各々の演算装置のうちの少なくとも１つにそれぞれ通信接続可能である該複数の測温機器によって温度情報を計算すること、該温度情報は、独立して、または各々の少なくとも１つの演算装置と接続して計算される;
複数の該各々の演算装置からの医療データを少なくとも１つのデータ保存場所に保存すること、該医療データは、少なくとも、複数の患者についての計算された温度情報および患者情報を含む;
非一過性のプロセッサ可読メディアに保存された命令を実行するように構成される少なくとも１つのプロセッサによって、該少なくとも１つのデータ保存場所に保存された該医療データの少なくともいくつかを集約すること;
該少なくとも１つのプロセッサによって、該集約された医療データを処理して、集団における複数の人々に関連する医療情報を作成すること;および、
該少なくとも１つのプロセッサによって、該作成された医療情報を、通信ネットワークを介して少なくとも１つの演算装置に送信すること、
を含む、健康モニタリングおよび追跡方法。
【請求項１７】
該患者情報が:
各ユーザーの位置を示す地理情報;
疾患または体調不良と関連する該ユーザーの症候を示す症候情報;
疾患、体調不良または体温と関連するユーザーの少なくとも１つの特徴を示す臨床情報;
該計算された温度情報、該症候情報、および該臨床情報のうちの少なくとも１つと関連する日付および/または時間を示す日付情報;
ユーザーまたはユーザーと関連する個人を示す患者識別情報;
機器識別情報;
該医療情報;および、
該温度情報、
のうちの少なくとも１つを含む、請求項１６に記載の方法。
【請求項１８】
さらに:
該少なくとも１つのプロセッサによって、該地理情報、該症候情報、該臨床情報、該日付情報、および該温度情報のうちの少なくとも１つに応じて、疾患の伝播を追跡することを含む、請求項１７に記載の方法。
【請求項１９】
さらに:
該少なくとも１つのプロセッサによって、温度情報および/または該追跡された疾患の伝播に関連する警報を作成すること;および、
該少なくとも１つのプロセッサによって、該警報を、通信ネットワークを介して該少なくとも１つの演算装置に送信すること、
を含む、請求項１８に記載の方法。
【請求項２０】
該地理情報、該症候情報、該臨床情報および/または該日付情報のうちの少なくともいくつかが、演算装置に提供された少なくとも１つのプロンプトに応答してユーザーによって提供される、請求項１７に記載の方法。
【請求項２１】
該複数の演算装置のうちの少なくとも１つがモバイル演算装置である、請求項１６に記載の方法。
【請求項２２】
さらに:
該少なくとも１つのプロセッサによって、該集約された医療データを処理して医療関連情報に基づく洞察を作成すること;および、
該少なくとも１つのプロセッサによって、該医療関連情報に基づく洞察のうちの少なくとも１つを、通信ネットワークを介して少なくとも１つの演算装置に送信すること、
を含む、請求項１６に記載の方法。
【請求項２３】
該医療関連情報に基づく洞察が、患者を処置するため、疾患の伝播を阻止するため、および/または疾患に関連する罹患率または死亡率を低下させるために用いられ得る、請求項２２に記載の方法。
【請求項２４】
該患者情報が、患者が伝染性であることを示す伝染性情報を含み、該伝染性情報は、該複数の演算装置のうちの少なくとも１つによって、i)該計算された温度情報、およびii)少なくとも１つのプロンプトに応答してユーザーによって提供された情報のうちの少なくとも１つを用いて計算される、請求項１６に記載の方法。
【請求項２５】
該作成された医療情報が、伝染性、広まっている疾患、および広まっている少なくとも１つの症候のうちの少なくとも１つを示すようにフォーマットされる、請求項１６に記載の方法。
【請求項２６】
該作成されてフォーマットされた医療情報が、過去の情報、現在の情報および未来の予測情報のうちの少なくとも１つとして提供される、請求項２５に記載の方法。
【請求項２７】
該作成された医療情報が、人と人の関係および/または人と場所の関係を示す、請求項１６に記載の方法。
【請求項２８】
さらに:
該少なくとも１つのプロセッサによって、該集約された医療データを集団に関連する動向または挙動の少なくとも１つと関連付けること;および、
該少なくとも１つのプロセッサによって、該集約されて関連付けられた医療データを処理して該医療情報を作成すること、
を含む、請求項１６に記載の方法。
【請求項２９】
該各々の少なくとも１つの演算装置に接続された該測温機器が、該測温機器から受信した少なくとも１つの信号を用いて該温度情報を計算するように構成される、請求項１６に記載の方法。
【請求項３０】
該各々の少なくとも１つの演算装置に接続された該測温機器が、ユーザーに関連する患者情報および該計算された温度情報を得るように構成される、請求項１６に記載の方法。